(57)【要約】【課題】被収納部材を筐体に挿入又は筐体から抜去する際において、被収納部材の損傷を抑制する被収納部材の固定構造を提供する。【解決手段】本発明の一形態に係る被収納部材の固定構造５は、開口部４ａから被収納部材２が挿入される筐体４の内側側面に固定され、筐体４の高さ方向に延在する支柱８と、支柱８における筐体４の内方側の側面に固定され、筐体４の奥行き方向に延在するＬ字アングル９と、Ｌ字アングル９における筐体４の開口部４ａ側の端部から当該筐体４の外方に向かって延在し、支柱８の一部を覆う固定部９ｃと、を備え、筐体４の開口部４ａから挿入された被収納部材２は、Ｌ字アングル９に支持され、被収納部材２から筐体４の外方に向かって延在する被固定部２ａが固定部９ｃを覆った状態で、被固定部２ａが固定部９ｃに固定される。【選択図】図１
2018206909.tif 000002
【特許請求の範囲】
【請求項１】
開口部から被収納部材が挿入される筐体の内側側面に固定され、前記筐体の高さ方向に延在する支柱と、
前記支柱における前記筐体の内方側の側面に固定され、前記筐体の奥行き方向に延在するＬ字アングルと、
前記Ｌ字アングルにおける前記筐体の開口部側の端部から当該筐体の外方に向かって延在し、前記被収納部材の挿入方向に向かって見て、前記支柱の一部を覆う固定部と、
を備え、
前記筐体の開口部から挿入された前記被収納部材は、前記Ｌ字アングルに支持され、
前記被収納部材の挿入方向に向かって見て、前記被収納部材から前記筐体の外方に向かって延在する被固定部が前記固定部を覆った状態で、前記被固定部が前記固定部に固定される、被収納部材の固定構造。
【請求項２】
前記支柱は、前記筐体の高さ方向への前記Ｌ字アングルを固定するための締結手段の移動を許容する許容部を有し、
締結状態が緩められた前記締結手段を前記許容部で前記筐体の高さ方向に移動させることで、前記筐体の高さ方向での前記Ｌ字アングルの前記支柱への固定位置を変更可能である、請求項１に記載の被収納部材の固定構造。
【請求項３】
前記支柱は、当該支柱における前記筐体の内方側の側面に形成され、且つ前記支柱の延在方向に延在する第１の溝部を前記許容部として有し、
前記締結手段は、前記第１の溝部の内部に配置されるナットと前記ナットにねじ込まれるボルトとを有し、
前記ボルトと前記ナットとで、前記支柱における前記第１の溝部の開口部の一部を覆うフランジ部と前記Ｌ字アングルとを挟み込むことで、前記Ｌ字アングルが前記支柱に固定される、請求項２に記載の被収納部材の固定構造。
【請求項４】
前記支柱は、当該支柱における前記筐体の開口部側の側面に形成され、且つ前記支柱の延在方向に延在する第２の溝部を有し、
前記Ｌ字アングルは、前記固定部に形成され、且つ前記被収納部材の被固定部を固定するボルトがねじ込まれるネジ部を有し、
前記ネジ部は、前記第２の溝部に収納される、請求項１乃至３のいずれか１項に記載の被収納部材の固定構造。
【請求項５】
前記支柱は、前記ボルトのボルト頭を収容可能な収容部を有し、
前記Ｌ字アングルは、前記収容部に沿うように窪んだ窪み部を有し、
前記窪み部に通された前記ボルトを介して前記Ｌ字アングルが前記支柱に固定される、請求項３に記載の被収納部材の固定構造。
【請求項６】
請求項１乃至５のいずれか１項に記載の被収納部材の固定構造が筐体に設けられたアウターケースと、
前記アウターケースに収納される被収納部材と、
を備える収納ラック。
【請求項７】
開口部から被収納部材が挿入される筐体の内側側面に、前記筐体の高さ方向に延在する支柱を固定する工程と、
前記支柱における前記筐体の内方側の側面に、前記筐体の奥行き方向に延在するＬ字アングルを固定し、前記被収納部材の挿入方向に向かって見て、前記Ｌ字アングルにおける前記筐体の開口部側の端部から当該筐体の外方に向かって延在する固定部で前記支柱の一部を覆う工程と、
前記被収納部材を前記筐体の開口部から挿入して前記Ｌ字アングルで支持する工程と、
前記被収納部材の挿入方向に向かって見て、前記被収納部材から前記筐体の外方に向かって延在する被固定部で前記固定部を覆った状態で、前記被固定部を前記固定部に固定する工程と、
を備える、被収納部材の固定方法。
【請求項８】
前記Ｌ字アングルを固定するための締結手段の締結状態を緩め、前記締結状態が緩められた締結手段を前記筐体の高さ方向で前記支柱に対して移動させることで、前記筐体の高さ方向での前記Ｌ字アングルの前記支柱への固定位置を調整する工程を備える、請求項７に記載の被収納部材の固定方法。
【発明の詳細な説明】
【技術分野】
【０００１】
本発明は、被収納部材の固定構造、固定方法及び収納ラックに関する。
【背景技術】
【０００２】
一般的な被収納部材の固定構造は、例えば、特許文献１に開示されているように、筐体内において所定の高さに棚板が固定されており、当該棚板に機器（被収納部材）が支持された状態で固定されている。ここで、棚板は、機器が載置される底板部、底板部の両端部から略直角に立ち上がり、筐体の内側側面に固定される側板部、及び側板部の先端から収納ラックの内方に向かって折り曲げられ、機器が固定される固定部を備えている。そして、左右の固定部の間に機器が挿入され、機器における収納ラックの外方に向かって突出する被固定部で棚板の固定部を覆った状態で、機器の被固定部が棚板の固定部にボルト接合される。
【先行技術文献】
【特許文献】
【０００３】
【特許文献１】特開平８−８８４８７号公報
【発明の概要】
【発明が解決しようとする課題】
【０００４】
特許文献１の被収納部材の固定構造は、固定部が筐体の内方に向かって突出しているため、左右の固定部によって被収納部材の挿入口が絞られている。そのため、被収納部材を筐体に挿入又は筐体から抜去する際に、被収納部材が固定部の端部に接触し、被収納部材が損傷する可能性がある。
【０００５】
本発明の目的は、被収納部材を筐体に挿入又は筐体から抜去する際において、被収納部材の損傷を抑制することができる被収納部材の固定構造、固定方法及び収納ラックを提供する。
【課題を解決するための手段】
【０００６】
本発明の一形態に係る被収納部材の固定構造は、
開口部から被収納部材が挿入される筐体の内側側面に固定され、前記筐体の高さ方向に延在する支柱と、
前記支柱における前記筐体の内方側の側面に固定され、前記筐体の奥行き方向に延在するＬ字アングルと、
前記Ｌ字アングルにおける前記筐体の開口部側の端部から当該筐体の外方に向かって延在し、前記被収納部材の挿入方向に向かって見て、前記支柱の一部を覆う固定部と、
を備え、
前記筐体の開口部から挿入された前記被収納部材は、前記Ｌ字アングルに支持され、
前記被収納部材の挿入方向に向かって見て、前記被収納部材から前記筐体の外方に向かって延在する被固定部が前記固定部を覆った状態で、前記被固定部が前記固定部に固定される。
【０００７】
本発明の一形態に係る被収納部材の固定方法は、
開口部から被収納部材が挿入される筐体の内側側面に、前記筐体の高さ方向に延在する支柱を固定する工程と、
前記支柱における前記筐体の内方側の側面に、前記筐体の奥行き方向に延在するＬ字アングルを固定し、前記被収納部材の挿入方向に向かって見て、前記Ｌ字アングルにおける前記筐体の開口部側の端部から当該筐体の外方に向かって延在する固定部で前記支柱の一部を覆う工程と、
前記被収納部材を前記筐体の開口部から挿入して前記Ｌ字アングルで支持する工程と、
前記被収納部材の挿入方向に向かって見て、前記被収納部材から前記筐体の外方に向かって延在する被固定部で前記固定部を覆った状態で、前記被固定部を前記固定部に固定する工程と、
を備える。
【発明の効果】
【０００８】
本発明によれば、被収納部材を筐体に挿入又は筐体から抜去する際において、被収納部材の損傷を抑制することができる。
【図面の簡単な説明】
【０００９】
【図１】実施の形態の収納ラックにおいて、被収納部材をアウターケースに挿入する様子を模式的に示す図である。
【図２】実施の形態のアウターケースを模式的に示す図である。
【図３】実施の形態の被収納部材の固定構造におけるフレーム及びＬ字アングルを模式的に示す図である。
【図４】実施の形態の被収納部材の固定構造を模式的に示す図である。
【図５】図４のＶ部分の拡大図である。
【発明を実施するための形態】
【００１０】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。
【００１１】
先ず、本実施の形態の被収納部材の固定構造（以下、単に固定構造と省略する場合がある。）を備える収納ラックを説明する。図１は、本実施の形態の収納ラックにおいて、被収納部材をアウターケースに挿入する様子を模式的に示す図である。図２は、本実施の形態のアウターケースを模式的に示す図である。図３は、本実施の形態の被収納部材の固定構造におけるフレーム及びＬ字アングルを模式的に示す図である。図４は、本実施の形態の被収納部材の固定構造を模式的に示す図である。図５は、図４のＶ部分の拡大図である。
【００１２】
ここで、以下の説明では、説明を明確にするために、収納ラックの上下方向、左右方向及び前後方向を規定しているが、収納ラックの使用形態によって方向は適宜変更される。なお、収納ラックの上下方向は、アウターケースの高さ方向と一致し、収納ラックの前後方向は、被収納部材の挿抜方向と一致し、収納ラックの左右方向は、アウターケースの高さ方向及び被収納部材の挿抜方向と直交する方向と一致する。
【００１３】
本実施の形態の収納ラック１は、図１に示すように、被収納部材２及びアウターケース３を備えており、例えば、作業者によって搬送される。被収納部材２は、例えば、各種の機器を内部に収納し、アウターケース３に収納されるインナーケースである。そして、被収納部材２は、被収納部材２の前側左右両端部から夫々当該被収納部材２の外方に向かって延在する被固定部２ａを備えている。つまり、左側の被固定部２ａは、被収納部材２の前側左角部から左方に向かって突出し、右側の被固定部２ａは、被収納部材２の前側右角部から右方に向かって突出している。
【００１４】
ここで、各種の機器とは、例えば、電子機器などである。なお、本実施の形態の被収納部材２は、内部に機器を収納する構成とされているが、アウターケース３に収納可能な部材であればよく、例えば、機器自体でもよく、機器が載置されるトレーなどでもよい。被収納部材２をトレーで構成した場合、被収納部材２を機器自体で構成する場合に対して、トレーに載置する機器のサイズを問わずに、収納ラック１に機器を収納することができる。例えば、収納ラック１に電子機器を収納すると電子装置として構成される。
【００１５】
アウターケース３は、図２に示すように、筐体４及び被収納部材２の固定構造５を備えている。筐体４は、例えば、フレーム６及びパネル７を備えている。フレーム６は、筐体４の各辺を成すフレーム材６ａが組み立てられて成る。
【００１６】
パネル７は、筐体４の上面、下面、左側面、右側面及び後面を成す板状部材であり、フレーム材６ａで形成される枠内空間を塞ぐように当該フレーム材６ａに固定されている。一方、筐体４の前面においてフレーム材６ａで形成される枠内空間は、パネル７で塞がれておらず、当該枠内空間は被収納部材２が挿抜される筐体４の開口部４ａとして機能する。但し、筐体４は、開口部４ａから被収納部材２を挿入して収納可能な構成であればよい。
【００１７】
固定構造５は、図２及び図３に示すように、支柱８及びＬ字アングル９を備えている。ここで、支柱８及びＬ字アングル９は、アウターケース３の左右方向の中央を通る鉛直面を中心に左右対称に配置されているため、右側の支柱８及びＬ字アングル９を代表して説明する。
【００１８】
支柱８は、筐体４の内部の開口部４ａ近傍に配置され、筐体４の内側側面に固定されており、筐体４の上下方向に延在している。例えば、支柱８の上端部がフレーム６の右上に配置されたフレーム材６ａに固定され、支柱８の下端部がフレーム６の右下に配置されたフレーム材６ａに固定されている。
【００１９】
Ｌ字アングル９は、図３乃至図５に示すように、鉛直部９ａ及び水平部９ｂを備えている。Ｌ字アングル９は、支柱８における筐体４の内方側の側面に固定され、筐体４の前後方向に延在している。例えば、Ｌ字アングル９の鉛直部９ａの前端部が支柱８の左側面に固定されており、当該鉛直部９ａの下端部から左方に向かって水平部９ｂが突出している。Ｌ字アングル９の水平部９ｂには、被収納部材２が載置される。
【００２０】
Ｌ字アングル９は、さらに固定部９ｃを備えている。固定部９ｃは、鉛直部９ａの前端部から筐体４の外方に向かって延在している。つまり、固定部９ｃは、Ｌ字アングル９の鉛直部９ａの前端部から右方に突出しており、アウターケース３の前側から見て、支柱８の一部を覆う。固定部９ｃには、被収納部材２の被固定部２ａが固定される。
【００２１】
次に、アウターケース３への被収納部材２の固定方法を説明する。例えば、先ず、筐体４のフレーム６に支柱８を固定する。次に、支柱８の所定の高さ位置にＬ字アングル９を固定する。
【００２２】
次に、図１に示すように、筐体４の開口部４ａから被収納部材２を挿入し、被収納部材２をＬ字アングル９の固定部９ｃに載置する。そして、図４及び図５に示すように、アウターケース３の前側から見て、被収納部材２の被固定部２ａでＬ字アングル９の固定部９ｃを覆い、被固定部２ａを固定部９ｃに固定すると、被収納部材２をアウターケース３に固定することができる。
【００２３】
一方、被収納部材２の被固定部２ａにおけるＬ字アングル９の固定部９ｃへの固定を解消し、被収納部材２をアウターケース３の前方に引き出すと、被収納部材２を筐体４の開口部４ａから抜去することができる。
【００２４】
このように本実施の形態のＬ字アングル９の固定部９ｃは、筐体４の外方に向かって延在しているので、被収納部材２を筐体４の開口部４ａから挿抜する際に、被収納部材２が固定部９ｃに接触し難い。そのため、被収納部材２の損傷を抑制することができる。
【００２５】
次に、支柱８及びＬ字アングル９の好ましい形態を説明する。なお、上述したように、左右の支柱８及びＬ字アングル９は、アウターケース３の左右方向の中央を通る鉛直面を中心に左右対称であるため、ここでも、右側の支柱８及びＬ字アングル９を代表して説明する。
【００２６】
支柱８は、図３及び図４に示すように、収容部８ａ、第１の溝部８ｂ及び第２の溝部８ｃを備えている。収容部８ａは、例えば、Ｌ字アングル９を支柱８に固定する締結手段の一方であるボルト１０のボルト頭を収容する。つまり、収容部８ａの左右方向の深さは、ボルト１０のボルト頭の高さより深い。例えば、収容部８ａは、支柱８の左後部分を後方に向かって切り欠くことで形成されている。但し、収容部８ａは、ボルト１０のボルト頭を収容可能な形状であればよい。
【００２７】
第１の溝部８ｂは、支柱８における収容部８ａの底面（左側面）で上下方向に延在しており、第１の溝部８ｂの内部にボルト１０がねじ込まれる締結手段の他方であるナット１１が配置されている。ナット１１は、第１の溝部８ｂの内部で回転しないように、例えば、第１の溝部８ｂの前後方向の幅寸法と略等しい長さの上下辺を有する矩形状の板状部材にネジが切られて成る。
【００２８】
第１の溝部８ｂの開口部の一部は、アウターケース３の前後両側からフランジ部８ｄによって覆われている。フランジ部８ｄの前後の間隔は、ナット１１の幅寸法より狭い。そのため、ナット１１は、第１の溝部８ｂから抜け出さない。
【００２９】
なお、図３及び図４では、２本の第１の溝部８ｂがアウターケース３の前後方向に間隔を開けて形成されているが、第１の溝部８ｂの本数は限定されない。また、第１の溝部８ｂは、支柱８の上下方向の全域に形成されていてもよく、部分的に形成されていてもよい。
【００３０】
第２の溝部８ｃは、支柱８の前面で上下方向に延在している。つまり、支柱８は、３本のＣ型チャンネルを組み合わせた形態と略等しい。なお、第２の溝部８ｃは、支柱８の上下方向の全域に形成されてもよく、部分的に形成されてもよい。
【００３１】
Ｌ字アングル９は、支柱８の収容部８ａに倣うように窪み部９ｄを備えている。つまり、Ｌ字アングル９の鉛直部９ａは、支柱８の左側面に倣うように折り曲げられている。そして、Ｌ字アングル９の鉛直部９ａにおける窪み部９ｄには、アウターケース３の左右方向に貫通するボルト孔が形成されている。
【００３２】
ここで、Ｌ字アングル９における鉛直部９ａの前側部分は、アウターケース３の上下方向に拡幅され、当該拡幅された部分にボルト孔がアウターケース３の上下方向に間隔を開けて形成されているとよい。
【００３３】
Ｌ字アングル９は、さらに固定部９ｃにネジ部９ｅを備えており、当該ネジ部９ｅに被収納部材２の被固定部２ａを固定部９ｃに固定するためのボルト１２がねじ込まれる。ネジ部９ｅは、固定部９ｃからアウターケース３の後方に向かって突出しており、支柱８の第２の溝部８ｃの内部に挿入（収容）されている。
【００３４】
ここで、Ｌ字アングル９の固定部９ｃは、鉛直部９ａの前端部の上下方向の高さを引き継ぐように当該前端部から折り曲げられた板状部分であり、アウターケース３の上下方向に間隔を開けてネジ部９ｅが形成されているとよい。
【００３５】
例えば、固定部９ｃにバーリング加工を施すことによって、固定部９ｃにネジ部９ｅが一体形成されている。これにより、ネジ部９ｅを簡単に形成することができる。但し、固定部９ｃにネジ部９ｅとしてナットが固定されていてもよい。
【００３６】
このような支柱８及びＬ字アングル９を用いて被収納部材２を固定する場合、例えば、先ず、Ｌ字アングル９のネジ部９ｅを上方又は下方から支柱８の第２の溝部８ｃに挿入しつつ、Ｌ字アングル９の鉛直部９ａを支柱８の側面に沿わせるように配置する。これにより、Ｌ字アングル９の鉛直部９ａ及び固定部９ｃで支柱８の一部が囲まれる。
【００３７】
次に、Ｌ字アングル９のボルト孔にボルト１０を通してナット１１に仮止めする。このようにＬ字アングル９が支柱８に仮固定された状態で、支柱８を筐体４のフレーム６に固定する。そして、Ｌ字アングル９をアウターケース３の上下方向に移動させて所定の高さ位置に配置する。なお、図３では、Ｌ字アングル９を上方に移動させた状態を二点鎖線で示している。
【００３８】
このとき、第１の溝部８ｂがボルト１０の移動を許容すると共に、第２の溝部８ｃがＬ字アングル９のネジ部９ｅの移動を許容し、ボルト１０及びＬ字アングル９のネジ部９ｅの移動を阻害しない。つまり、第１の溝部８ｂ及び第２の溝部８ｃは、アウターケース３の上下方向へのＬ字アングル９の移動を許容する許容部として機能する。
【００３９】
その後、ボルト１０を本締めして、ボルト１０とナット１１との間に、支柱８のフランジ部８ｄ及びＬ字アングル９の鉛直部９ａを挟み込むと、Ｌ字アングル９が支柱８に固定される。
【００４０】
このとき、アウターケース３の上下方向に間隔を開けてボルト１０及びナット１１を用いてＬ字アングル９が支柱８に固定されるので、アウターケース３の左右方向に延在する軸を中心としたＬ字アングル９の回転を抑制することができる。
【００４１】
次に、筐体４の開口部４ａから被収納部材２を挿入し、被収納部材２の被固定部２ａに形成されたボルト孔にボルト１２を通してＬ字アングル９のネジ部９ｅにねじ込むと、被収納部材２を固定することができる。
【００４２】
このように本実施の形態では、Ｌ字アングル９を支柱８に仮固定した状態で、Ｌ字アングル９をアウターケース３の上下方向に移動させると、Ｌ字アングル９の支柱８への固定位置を簡単に変更可能である。そのため、高さの異なる被収納部材２に容易に対応でき、汎用性が高い。また、高さの異なる複数の被収納部材２をアウターケース３の上下方向に簡単に収容することができる。このとき、各々の被収納部材２を支持するＬ字アングル９がアウターケース３の上下方向に複数配置される。
【００４３】
しかも、固定部９ｃがＬ字アングル９に設けられているため、Ｌ字アングル９の支柱８への固定位置の変更に追従するように、固定部９ｃの位置も変更される。そのため、別途、固定部９ｃの位置調整を行う必要がなく、被収納部材２のアウターケース３への固定作業が容易である。
【００４４】
また、アウターケース３の前側から見て、支柱８と重なるようにＬ字アングル９の固定部９ｃ及びボルト１０のボルト頭が配置されるので、デッドスペースが少なく、被収納部材２の収容容積を稼ぐことができる。
【００４５】
また、Ｌ字アングル９のネジ部９ｅが支柱８の第２の溝部８ｃに挿入されているので、固定構造５の前後方向の長さを短縮することができる。このとき、Ｌ字アングル９の固定部９ｃが支柱８に略接触していると、アウターケース３の左右方向に延在する軸を中心としたＬ字アングル９の回転を抑制することができる。
【００４６】
なお、本発明は上記実施の形態に限られたものではなく、趣旨を逸脱しない範囲で適宜変更することが可能である。例えば、本実施の形態では、支柱８を筐体４の内部の開口部４ａ近傍に配置したが、さらに支柱８を筐体４の内部の後側部分に配置してもよく、支柱８の本数は限定されない。
【符号の説明】
【００４７】
１  収納ラック
２  被収納部材、２ａ  被固定部
３  アウターケース
４  筐体、４ａ  開口部
５  固定構造
６  フレーム、６ａ  フレーム材
７  パネル
８  支柱、８ａ  収容部、８ｂ  第１の溝部、８ｃ  第２の溝部、８ｄ  フランジ部
９  Ｌ字アングル、９ａ  鉛直部、９ｂ  水平部、９ｃ  固定部、９ｄ  窪み部、９ｅ  ネジ部
１０、１２  ボルト
１１  ナット
【図１】
2018206909.tif 000003
【図２】
2018206909.tif 000004
【図３】
2018206909.tif 000005
【図４】
2018206909.tif 000006
【図５】
2018206909.tif 000007